(57)【要約】【課題】薄膜状の発熱手段を有する発泡式インクジェット装置において、所望のタイミングで安定した気泡を発生させる。【構成】ヒータ１ａの表面には、縦横に規則的な配列で複数の凹部分３が形成されている。ヒータ１ａ内の電流密度は、凹部分３の近傍では大きく、その他の部分では相対的に小さく、凹部分３の底の温度が局所的に高くなる。凹部分３から気泡４の核が発生し、気泡４が成長し、気泡４はひとつの大きな気泡５に成長して流路内のインクをノズルから所定量だけ吐出させる。このひとつの大きな気泡は常にヒータ１ａの同じ位置に安定して発生するため、発泡によるインク滴の吐出態様及びタイミングが安定する。【選択図】図２
2007083591.tif 000002
【特許請求の範囲】
【請求項１】
吐出口が形成された空間の内部に面状の発熱手段が設けられ、前記空間内に収納されたインクを前記発熱手段の発熱により発泡させて前記吐出口から外部に吐出させる発泡式インクジェット装置において、
前記発熱手段の表面を、該表面の発熱温度が位置により異なるように凹凸状態に形成したことを特徴とする発泡式インクジェット装置。
【請求項２】
前記発熱手段の表面に凹部分を設け、前記発熱手段を流れる電流の同部分における電流密度を高くして同部分の温度をその他の部分に比べて局所的に高くさせることを特徴とする請求項１記載の発泡式インクジェット装置。
【請求項３】
前記発熱手段の表面に凸部分を設け、前記発熱手段を流れる電流の同部分における電流密度を低くして同部分の温度をその他の部分に比べて局所的に低くさせることを特徴とする請求項１記載の発泡式インクジェット装置。
【請求項４】
前記発熱手段の表面に、該発熱手段とは異なる材質の凸部分を設け、同部分の温度をその他の部分に比べて局所的に低くさせることを特徴とする請求項１記載の発泡式インクジェット装置。
【発明の詳細な説明】
【技術分野】
【０００１】
本発明は、吐出口が形成されたインク収納用空間の内部に発熱手段が設けられた単位構成を有し、前記発熱手段の発熱により前記空間内のインクを発泡させて前記吐出口から外部にインク滴を吐出させて画像形成を行う発泡式インクジェット装置に係り、特に表面状態が滑らかであるために突沸による気泡の発生が一定のタイミングで起きにくい面状の発熱手段を有する発泡式インクジェット装置において、所望のタイミングで気泡を発生させられるようにしたものである。
【背景技術】
【０００２】
従来、吐出口が形成されたインク収納用空間の内部に発熱手段を設け、前記発熱手段の発熱により前記空間内のインクを発泡させて前記吐出口から外部に吐出させる発泡式インクジェット装置が知られている。インク収納用空間に配設された発熱手段（ヒータ）としては、発熱抵抗体層を利用した面状のものが使用可能であり、これに通電して発生させた熱でインクを気化させ、体積の膨張による圧力の上昇によってノズルからインク滴を噴射させている。
【０００３】
このような面状の発熱手段は、インク収納空間を構成する基体の内部の所定位置に配線電極層を設けておき、この配線電極層の上に発熱抵抗体層としてのＴａＳｉx Ｏy 層を形成し、発熱抵抗体層及び配線電極層に対してリソグラフイ・エッチングでパターニングを施して発熱領域を形成した後に、露出した発熱抵抗体層の表面を自己酸化させて保護層を形成することにより構成できる。
【０００４】
このように、発泡式インクジェット装置において気泡を発生させるための面状の発熱手段（ヒータ）は、一般には薄膜製造技術で作成されるものであり、その結果、表面は滑らかで均一な状態に仕上げられる。
【０００５】
下記特許文献１は、インクの吐出口を備えたインク収納空間の内部に面状の発熱手段（ヒータ）を設けた上述したようなインクジェット記録装置の一例を示している。
【特許文献１】特開２００５−７５８２号公報
【発明の開示】
【発明が解決しようとする課題】
【０００６】
ところが、このような面状の発熱手段（ヒータ）を発熱させてインク中に気泡を発生させようとした場合、面状の発熱手段の表面があまりにも滑らかで均一に作られているために、過飽和状態のように気泡が発生しない現象が発生してしまい、突沸を発生させるタイミングがずれ、インク滴を所望のタイミングで吐出させることができない場合が生じていた。
【０００７】
ここで突沸とは、ヒータの表面にこびり付いたゴミとかインクのカスなどを核として気泡が発生する現象であり、このような突沸のきっかけとなる核がないと気泡は発生しなくなる。
【０００８】
例えば、綺麗に洗った試験管に水を入れてアルコールランプで加熱した場合、水は、徐々にに沸騰してくるものではなく、しばらく平静な状態が続いた後に、ある時、突然に一気に沸騰する。このような現象を突沸という。つまり水を温めると気体になるが、温度勾配差等、何らかのきっかけが無いと水は気体になれない。そのきっかけがあれば水が突如気体となる突沸が起こる。このきっかけがなければ、いつまでも水は液体の状態で居続けることになる。
【０００９】
面状の発熱手段を有する発泡式インクジェット装置においては、このような突沸と呼ばれる現象がインクジェットのヒータの近傍に発生してインクの吐出が行われるのであるが、あまりにもヒータの表面が滑らかで、温度差的にも均一になっていると、気泡を発生するタイミングがずれたり、また、気泡を発生する場所（ヒータ表面の何処か）を限定することができないために気泡の形やタイミングにバラツキが起こってしまい、インクを吐出させたいときにインクが吐出しなかったり、またはインクを吐出しなければならないタイミングがずれてしまうという不都合が発生してしまう。
【００１０】
図１５〜図１７は、以上説明したような面状の発熱手段を有する従来の発泡式インクジェット装置における前述の問題点を示した図であり、図１５はヒータ１００の隅で気泡１０１が発生した場合、図１６は同中央部で気泡１０１が発生した場合、そして図１７は同ヒータ１００の端面で気泡１０１が発生した場合をそれぞれ示すものである。このように、面状の発熱手段を有する従来の発泡式インクジェット装置においては、ヒータ表面の何処で気泡が発生するのかは特定されておらず、気泡が発生する場所によっては著しくインクの吐出を阻害する場合もあった。
【００１１】
なお、前記特許文献１に開示されたインクジェット記録装置は、このような従来の技術における課題を解決する一つの方向性を示すものであり、一つのインク収納用空間内にある発熱体を複数に分割して複数箇所で発泡させるようにしたものである。しかしながら、これでは構造が複雑で製造も複数の工程が追加になってコスト高となるため、経済的効果がなく、実用化することができなかった。
【課題を解決するための手段】
【００１２】
そこで、本発明は、面状の発熱手段を有する発泡式インクジェット装置において、所望のタイミングで気泡を発生させるようにすることを目的としている。
【００１３】
請求項１に記載された発泡式インクジェット装置は、吐出口が形成された空間の内部に面状の発熱手段が設けられ、前記空間内に収納されたインクを前記発熱手段の発熱により発泡させて前記吐出口から外部に吐出させる発泡式インクジェット装置において、前記発熱手段の表面を、該表面の発熱温度が位置により異なるように凹凸状態に形成したことを特徴としている。
【００１４】
請求項２に記載された発泡式インクジェット装置は、請求項１記載の発泡式インクジェット装置において、前記発熱手段の表面に凹部分を設け、前記発熱手段を流れる電流の同部分における電流密度を高くして同部分の温度をその他の部分に比べて局所的に高くさせることを特徴としている。
【００１５】
請求項３に記載された発泡式インクジェット装置は、請求項１記載の発泡式インクジェット装置において、前記発熱手段の表面に凸部分を設け、前記発熱手段を流れる電流の同部分における電流密度を低くして同部分の温度をその他の部分に比べて局所的に低くさせることを特徴としている。
【００１６】
請求項４に記載された発泡式インクジェット装置は、請求項１記載の発泡式インクジェット装置において、前記発熱手段の表面に、該発熱手段とは異なる材質の凸部分を設け、同部分の温度をその他の部分に比べて局所的に低くさせることを特徴としている。
【発明の効果】
【００１７】
請求項１に記載された発泡式インクジェット装置によれば、面状の発熱手段の表面における発熱温度が当該表面内での位置により異なり、発熱手段の表面の温度分布が一様でないので、相対的に温度が高くなる特定の部分から気泡の核が発生して気泡が成長することができ、気泡の形やタイミングにバラツキが生じず、インクを吐出させたいときにインクを吐出させることができ、インク吐出のタイミングがずれることがないという効果が得られる。
【００１８】
請求項２に記載された発泡式インクジェット装置によれば、特に発熱手段の表面に設けた凹部分において発熱手段を流れる電流の電流密度が高くなるので、凹部分の温度がその他の部分に比べて局所的に高くなり、上述した効果が得られる。
【００１９】
請求項３に記載された発泡式インクジェット装置によれば、特に発熱手段の表面に設けた凸部分において発熱手段を流れる電流の電流密度が低くなるので、凸部分の温度がその他の部分に比べて局所的に低くなり、上述した効果が得られる。
【００２０】
請求項４に記載された発泡式インクジェット装置によれば、発熱手段の表面に発熱手段とは異なる材質で凸部分を形成したので、発熱時、この凸部分はその他の部分よりも温度が局所的に低くなり、上述した効果が得られる。
としている。
【発明を実施するための最良の形態】
【００２１】
以下に説明する本実施形態の発泡式インクジェット装置は、吐出口（ノズル）が形成されたインク収納用空間の内部に面状の発熱手段が設けられた構造が多数列設された装置であり、発熱手段の発熱で空間内のインクを発泡させて所望の吐出口からインク滴を選択的に吐出し、印刷用紙等の表面に画像を形成する機能を備えている。そして、本例では、装置に与えた駆動信号のタイミングに遅れることなく発熱手段の発熱で所定位置に安定して気泡を発生させるために、発熱手段の表面にインクを突沸させるきっかけとなる凹凸を形成し、該表面における発熱温度が位置により異なるように構成したものである。
まず、本例の発泡式インクジェット装置の全体としての基本構成を図１４を参照して説明し、以後、要部の具体的な構成について複数の実施形態を挙げて説明する。
【００２２】
（１）発泡式インクジェット装置の基本構成（図１４）
図１４はバブル方式のインクジェット装置の断面図である。このインクジェット装置１０は、面状のヒータに電圧を印加して発熱させることでインク流路内にバブルを発生させてインクを吐出させるバブル方式のインクジェット装置である。
【００２３】
インクジェット装置１０の筐体５０の内部には、図示しないインクカートリッジに接続されるインク溜り５１があり、該インク溜り５１はインク収納用空間である複数の流路５２を介して吐出口であるノズル５３から外部に連通している。各流路５２のノズル５３に近接した部分には面状の発熱手段としてのヒータ１がそれぞれ設けられており、この各ヒータ１が制御手段であるＣＰＵからの指令を受けたインクジェット装置駆動制御回路により駆動される。
【００２４】
すなわち、ヒータ１に電圧を加えるとヒータ１が発熱して流路５２内に気泡（バブル）が発生し、流路５２内で気泡が膨張して体積が増加した分だけインクがノズル５３から外に吐出され、バブルが消滅すると次の動作としてインク溜り５１からインクが補充される。
以下に、前記ヒータ１の具体的な構成を説明する。
【００２５】
（２）第１実施形態（図１〜図５）
図１に示すように、本例では、インク収納用空間である前記流路５２の内面に面状の電極２が設けられ、該電極２の上に所定厚さの面状の発熱手段であるヒータ１ａが形成されている。また、図示はしないが、前記電極２は配線を介してインクジェット装置駆動制御回路に接続されており、各流路５２の各ヒータ１ａごとに駆動信号を選択的に加えることができる。
【００２６】
図１及び図２に示すように、前記ヒータ１ａの表面には、縦横に規則的な配列で複数の凹部分３が形成されており、表面が凹凸状態に加工されている。従って、図２に示すように、ヒータ１ａの厚さは凹部分３では小さく（薄く）、凹部分３以外の部分では大きく（厚く）なっている。このため、ヒータ１ａ内を流れる電流の密度は、凹部分３の近傍では大きくなり、その他の部分では相対的に小さくなり、凹部分３では電流が集中して凹部分３の底の温度が局所的に高くなる。従って、凹部分３と凹部分３以外の部分との温度差により、ヒータ１ａの表面の温度分布は一様ではなくなる。
【００２７】
よって、図３に示すように温度が高くなる凹部分３から気泡４の核が発生し、図４に示すように凹部分３ごとに気泡４が成長していき、図５に示すように各凹部分３に発生した気泡４はひとつの大きな気泡５に成長して流路５２内にあるインクをノズル５３から所定量だけ吐出させる。ここで、このひとつの大きな気泡５は常にヒータ１ａの同じ位置に安定して発生するため、発泡によるインク滴の吐出態様が安定するという効果がある。
【００２８】
また、駆動信号を与えてから各凹部分３に気泡４が発生し、最終的にひとつの大きな気泡５が生成するタイミングは実質的に常に一定となり、その結果、インク滴の吐出のタイミングにずれが生じることもない。
【００２９】
ヒータ１ａへの通電を無くすと温度が低下して気泡５は消える。また多数の凹部分３を形成したため、ヒータ１ａの表面積が増えて放熱効果が増大するので、通電が無くなった時の気泡５の消滅時間が短くなる。このため、インク吐出の高速動作が可能になる。
【００３０】
本例のヒータ１ａの表面に、フォトレジスト法を用いて凹部分３を形成する方法を説明する。
薄膜生成技術によって所定厚さの面状のヒータを形成した後、フォトレジスを塗布し、乾燥後に所定のパターンで微小な穴が開いている光マスク（フイルム）を介して露光し、現像によって所定のパターンで多数の微小な孔が形成された被膜を形成し、この孔の部分をエッチングすることにより、所定パターンで配置された多数の前記凹部分３を形成することができる。
【００３１】
（３）第２実施形態（図６〜図８）
図６〜図８に示すように、本例では、インク収納用空間である前記流路５２の内面に面状の電極２が設けられ、該電極２の上に所定厚さの面状のヒータ１ｂが形成されている。また、図示はしないが、前記電極２は配線を介してインクジェット装置駆動制御回路に接続されており、各流路５２の各ヒータ１ｂごとに駆動信号を選択的に加えることができる。
【００３２】
図６及び図７に示すように、前記ヒータ１ｂの表面には、所定間隔をおいて複数の凹部分６として半円筒状の溝が形成されており、表面が凹凸状態に加工されている。従って、ヒータ１ｂの厚さは凹部分６では小さく（薄く）、凹部分６以外の部分では大きく（厚く）なっている。このため、ヒータ１ｂ内を流れる電流の密度は、図８に示すように、凹部分６の近傍では大きくなり、その他の部分では相対的に小さくなり、凹部分６では電流が集中して凹部分６の底の温度が局所的に高くなる。従って、凹部分６と凹部分６以外の部分との温度差により、ヒータ１ｂの表面の温度分布は一様ではなくなる。
【００３３】
よって、第１実施形態と略同様に各凹部分から気泡の核が発生し、これらがそれぞれ成長していき、これらは最終的にはひとつの大きな気泡に成長して流路内にあるインクをノズルから所定量だけ吐出させる。その他の作用効果及び凹部分である溝の形成方法は第１実施形態と略同様である。
【００３４】
（４）第３実施形態（図９、図１０）
図９に示すように、本例では、インク収納用空間である前記流路５２の内面に面状の電極２が設けられ、該電極２の上に所定厚さの面状のヒータ１ｃが形成されている。また、図示はしないが、前記電極２は配線を介してインクジェット装置駆動制御回路に接続されており、各流路５２の各ヒータ１ｃごとに駆動信号を選択的に加えることができる。
【００３５】
図９及び図１０に示すように、前記ヒータ１ｃの表面の中央には、単一の凹部分３が形成されており、表面に凹凸状態が加工されている。従って、ヒータ１ｃの厚さは中央の凹部分３では小さく（薄く）、凹部分３以外の部分では大きく（厚く）なっている。このため、ヒータ１ｃ内を流れる電流の密度は、図１０に示すように、凹部分３の近傍では大きくなり、その他の部分では相対的に小さくなり、凹部分３では電流が集中して凹部分３の底の温度が局所的に高くなる。従って、凹部分３と凹部分３以外の部分との温度差により、ヒータ１ｃの表面の温度分布は一様ではなくなる。
【００３６】
よって、通電時には、中央の凹部分３はその他の部分よりも温度が高い特異点となり、その部分に核が発生して気泡４が発生し、これが大きな気泡５に成長して流路５２内にあるインクをノズル５３から所定量だけ吐出させる。その他の作用効果及び凹部分３の形成方法は第１実施形態と略同様である。
【００３７】
（５）第４実施形態（図１１、図１２）
図１１に示すように、本例では、インク収納用空間である前記流路５２の内面に面状の電極２が設けられ、該電極２の上に所定厚さの面状のヒータ１ｄが形成されている。また、図示はしないが、前記電極２は配線を介してインクジェット装置駆動制御回路に接続されており、各流路５３の各ヒータ１ｄごとに駆動信号を選択的に加えることができる。
【００３８】
図１１及び図１２に示すように、前記ヒータ１ｄの表面の中央には、単一の凸部分７が形成されており、表面に凹凸状態が加工されている。従って、ヒータ１ｄの厚さは中央の凸部分７では大きく（厚く）、凸部分７以外の部分では小さく（薄く）なっている。このため、図１２に示すように、凸部分７における電流の密度は、その周囲に比べて粗くなり、凸部分７では温度が局所的に低くなる。従って、凸部分７と凸部分７以外の部分との温度差により、ヒータ１ｄの表面の温度分布は一様ではなくなる。
【００３９】
よって、通電時には、中央の凸部分７はその他の部分よりも温度が低い特異点となり、その部分に核が発生して気泡４が発生し、これが大きな気泡５に成長して流路５３内にあるインクをノズル５３から所定量だけ吐出させる。その他の作用効果及び凸部分７の形成方法は第１実施形態と略同様である。
【００４０】
（６）第５実施形態（図１３）
以上説明した各実施形態では、面状のヒータの表面に凹部又は凸部を形成して当該部分の電流密度を変化させ、その結果としてヒータの表面に発生する温度が凹部又は凸部において変化して差異が生じるようにしていた。本例は、これとは異なり、面状のヒータの表面にヒータの材質とは異なる非導電性の材料で凸部を後加工し、当該部分の電流密度は変化しないが、温度が低下して周囲との温度差が生じるようにしたものである。
【００４１】
図１３に示すように、ヒータ１ｅの表面に、円形の通孔８が形成されたスクリーン９を配置し、スキージ１０を用いて樹脂材料を移行させ、印刷後に焼き固める（焼成）して球の一部を裁断したような凸形状の凸部１１を形成する。この樹脂材料は熱に強いが導電性がなく、ヒータ２ｅから電気が流入しないので当該部分における電流密度が低下することはないが、凸部が熱を吸い取るので周囲に比べて温度が低くなり、その結果、他の実施形態と同様に気泡が生じる。
【００４２】
なお、上記のように焼成を行わなくとも、熱に強い二液混合硬化型樹脂を印刷すれば、同様の機能を備えた凸部を形成できる。
【００４３】
以上説明した各実施形態における面状のヒータとしては、薄膜状又は厚膜状のいずれのヒータでもよく、要するに所定面積の発熱面を有する全体として概ね平坦な形状のヒータであればよく、これを形成する製造方法の如何も問わないものとする。
【図面の簡単な説明】
【００４４】
【図１】第１実施形態におけるヒータの斜視図である。
【図２】第１実施形態におけるヒータの電流密度を説明する断面図である。
【図３】第１実施形態のヒータにおける多数の気泡の発生を示す斜視図である。
【図４】第１実施形態のヒータにおける多数の気泡の成長を示す斜視図である。
【図５】第１実施形態のヒータにおける一つの気泡への成長を示す斜視図である。
【図６】第２実施形態におけるヒータの斜視図である。
【図７】第２実施形態におけるヒータの断面図である。
【図８】第２実施形態におけるヒータの電流密度を説明する断面図である。
【図９】第３実施形態におけるヒータの斜視図である。
【図１０】第３実施形態におけるヒータの電流密度を説明する断面図である。
【図１１】第４実施形態におけるヒータの斜視図である。
【図１２】第４実施形態におけるヒータの電流密度を説明する断面図である。
【図１３】（ａ）は第５実施形態におけるヒータ及びその製造工程を示す斜視図、（ｂ）は同ヒータの側面図である。
【図１４】バブル方式のインクジェット装置の断面図である。
【図１５】従来の発泡式インクジェット装置においてヒータの隅で気泡が発生した場合を示す斜視図である。
【図１６】従来の発泡式インクジェット装置において同中央部で気泡が発生した場合を示す斜視図である。
【図１７】従来の発泡式インクジェット装置において同端面で気泡が発生した場合を示す斜視図である。
【符号の説明】
【００４５】
１，１ａ，１ｂ，１ｃ，１ｄ…発熱手段としてのヒータ
２…電極
３，６…凹部分
４，５…気泡
７…凸部分
１０…インクジェット装置
５２…インク収納空間としての流路
５３…吐出口としてのノズル
【図１】
2007083591.tif 000003
【図２】
2007083591.tif 000004
【図３】
2007083591.tif 000005
【図４】
2007083591.tif 000006
【図５】
2007083591.tif 000007
【図６】
2007083591.tif 000008
【図７】
2007083591.tif 000009
【図８】
2007083591.tif 000010
【図９】
2007083591.tif 000011
【図１０】
2007083591.tif 000012
【図１１】
2007083591.tif 000013
【図１２】
2007083591.tif 000014
【図１４】
2007083591.tif 000015
【図１５】
2007083591.tif 000016
【図１６】
2007083591.tif 000017
【図１７】
2007083591.tif 000018
【図１３】
2007083591.tif 000019